(57)【要約】【課題】円筒状のトンネルの内壁面に打設された覆工コンクリートの養生を効果的に行うことができ、簡易な構成で且つ支持体やシート材を分解することなく簡単に移動させることもできる等、極めて実用性に秀れた養生装置の提供。【解決手段】円筒状のトンネルの内壁面に打設された覆工コンクリート１を養生する養生装置であって、覆工コンクリート１の表面に近接状態に設けられるシート材２と、このシート材２を円筒状にして前記覆工コンクリート１の表面に近接状態で支持する円筒枠状の支持体３とから成り、この支持体３には前記覆工コンクリート１の表面に当接する回動体４を複数設け、この回動体４により前記支持体３を前記シート材２を支持した状態で前記トンネルの軸方向に移動可能に構成する。【選択図】図１
2012041733.tif 000002
【特許請求の範囲】
【請求項１】
円筒状のトンネルの内壁面に打設された覆工コンクリートを養生する養生装置であって、覆工コンクリートの表面に近接状態に設けられるシート材と、このシート材を円筒状にして前記覆工コンクリートの表面に近接状態で支持する円筒枠状の支持体とから成り、この支持体には前記覆工コンクリートの表面に当接する回動体が複数設けられ、この回動体により前記支持体は前記シート材を支持した状態で前記トンネルの軸方向に移動可能に構成されていることを特徴とする養生装置。
【請求項２】
請求項１記載の養生装置において、前記回動体は、前記支持体に対して前記覆工コンクリートの表面側に突出して該表面に当接する突状態と、前記支持体に対して前記トンネル内方側に没入して前記覆工コンクリートの表面に当接しない没状態とに切り替え自在に設けられていることを特徴とする養生装置。
【請求項３】
請求項１，２いずれか１項に記載の養生装置において、前記支持体には該支持体の径を拡縮する調整部が設けられていることを特徴とする養生装置。
【請求項４】
請求項１〜３いずれか１項に記載の養生装置において、前記支持体は複数設けられ、この各支持体同士は該支持体に夫々軸着される連結体により連結されていることを特徴とする養生装置。
【請求項５】
請求項１〜４いずれか１項に記載の養生装置において、前記支持体の前端面及び後端面には、前記覆工コンクリートの表面と前記シート材との間の空間と外部とを仕切る環状の仕切り体が設けられていることを特徴とする養生装置。
【請求項６】
請求項１〜５いずれか１項に記載の養生装置において、前記覆工コンクリートの表面と前記シート材との間の空間に水分を供給する水分供給装置が設けられていることを特徴とする養生装置。
【請求項７】
請求項１〜６いずれか１項に記載の養生装置において、前記支持体は可撓性部材で構成されていることを特徴とする養生装置。
【発明の詳細な説明】
【技術分野】
【０００１】
本発明は、養生装置に関するものである。
【背景技術】
【０００２】
アーチ状のトンネルの内壁面に打設された覆工コンクリートを養生するための養生装置としては、例えば特許文献１，２に開示されるように、シート材で覆工コンクリートの表面を覆うことで養生を行うもの等、種々の装置が提案されているが、円筒状のトンネルで用いる養生装置の提案はされていないのが現状である。
【先行技術文献】
【特許文献】
【０００３】
【特許文献１】特開２００７−２３９３２０号公報
【特許文献２】特開２００９−１２７３２２号公報
【発明の概要】
【発明が解決しようとする課題】
【０００４】
本発明は、上述のような現状に鑑みなされたもので、円筒状のトンネルの内壁面に打設された覆工コンクリートの養生を効果的に行うことができ、簡易な構成で且つ支持体やシート材を分解することなく簡単に移動させることもできる等、極めて実用性に秀れた養生装置を提供するものである。
【課題を解決するための手段】
【０００５】
添付図面を参照して本発明の要旨を説明する。
【０００６】
円筒状のトンネルの内壁面に打設された覆工コンクリート１を養生する養生装置であって、覆工コンクリート１の表面に近接状態に設けられるシート材２と、このシート材２を円筒状にして前記覆工コンクリート１の表面に近接状態で支持する円筒枠状の支持体３とから成り、この支持体３には前記覆工コンクリート１の表面に当接する回動体４が複数設けられ、この回動体４により前記支持体３は前記シート材２を支持した状態で前記トンネルの軸方向に移動可能に構成されていることを特徴とする養生装置に係るものである。
【０００７】
また、請求項１記載の養生装置において、前記回動体４は、前記支持体３に対して前記覆工コンクリート１の表面側に突出して該表面に当接する突状態と、前記支持体３に対して前記トンネル内方側に没入して前記覆工コンクリート１の表面に当接しない没状態とに切り替え自在に設けられていることを特徴とする養生装置に係るものである。
【０００８】
また、請求項１，２いずれか１項に記載の養生装置において、前記支持体３には該支持体３の径を拡縮する調整部５が設けられていることを特徴とする養生装置に係るものである。
【０００９】
また、請求項１〜３いずれか１項に記載の養生装置において、前記支持体３は複数設けられ、この各支持体３同士は該支持体３に夫々軸着される連結体６により連結されていることを特徴とする養生装置に係るものである。
【００１０】
また、請求項１〜４いずれか１項に記載の養生装置において、前記支持体３の前端面及び後端面には、前記覆工コンクリート１の表面と前記シート材２との間の空間と外部とを仕切る環状の仕切り体７が設けられていることを特徴とする養生装置に係るものである。
【００１１】
また、請求項１〜５いずれか１項に記載の養生装置において、前記覆工コンクリート１の表面と前記シート材２との間の空間に水分を供給する水分供給装置８が設けられていることを特徴とする養生装置に係るものである。
【００１２】
また、請求項１〜６いずれか１項に記載の養生装置において、前記支持体３は可撓性部材で構成されていることを特徴とする養生装置に係るものである。
【発明の効果】
【００１３】
本発明は上述のように構成したから、円筒状のトンネルの内壁面に打設された覆工コンクリートの養生を効果的に行うことができ、簡易な構成で且つ支持体やシート材を分解することなく簡単に移動させることもできる等、極めて実用性に秀れた養生装置となる。
【図面の簡単な説明】
【００１４】
【図１】本実施例の概略説明斜視図である。
【図２】本実施例の概略説明垂直縦断面図である。
【図３】本実施例の概略説明横断面図である。
【図４】本実施例の回動体配設部の拡大概略説明図である。
【図５】本実施例の回動体配設部の拡大概略説明図である。
【図６】本実施例の概略説明横断面図である。
【図７】本実施例の連結部の拡大概略説明図である。
【図８】別例１の要部の拡大概略説明図である。
【図９】別例２の拡大概略説明垂直縦断面図である。
【図１０】別例３の拡大概略説明水平縦断面図である。
【発明を実施するための形態】
【００１５】
好適と考える本発明の実施形態を、図面に基づいて本発明の作用を示して簡単に説明する。
【００１６】
シート材２は、支持体３により支持され、円筒状のトンネルの内周面に打設された覆工コンクリート１の表面の全周にわたって近接せしめられる。従って、覆工コンクリート１の表面全周の養生を良好に行うことができる。
【００１７】
また、複数の回動体４により、支持材３をシート材２を支持した状態でトンネル軸方向に簡単に移動させることができ、トンネル内を移動させる際、支持材３及びシート材２の分解・運搬作業が不要となり、それだけ養生作業を効率良く行うことができる。
【実施例】
【００１８】
本発明の具体的な実施例について図面に基づいて説明する。
【００１９】
本実施例は、円筒状のトンネルの内壁面に打設された覆工コンクリート１を養生する養生装置であって、覆工コンクリート１の表面に近接状態に設けられるシート材２と、このシート材２を円筒状にして前記覆工コンクリート１の表面に近接状態で支持する円筒枠状の支持体３とから成り、この支持体３には前記覆工コンクリート１の表面に当接する回動体４が複数放射状に設けられ、この回動体４により前記支持体３は前記シート材２を支持した状態で前記トンネルの軸方向に移動可能に構成されているものである。
【００２０】
具体的には、本実施例は、覆工コンクリート１を打設する覆工型枠により一時に打設され該覆工型枠の前進移動により露出した所定区間（例えば１日に９ｍずつ打設）の覆工コンクリート１の表面を覆うように、覆工型枠の後方に図１に図示したようなシート材２を設ける支持体３を複数連結し、この支持体３を覆工型枠の移動に伴って追従移動せしめつつ養生を行うものであり、覆工型枠による打設・前進移動による養生を要する覆工コンクリート１の表面区間の増加に伴い順次後方に増設連結していくものである。
【００２１】
各部を具体的に説明する。
【００２２】
シート材２（養生シート）としては、防炎性及び遮水性を有するものを採用する。本実施例においては軟質塩化ビニルシートを採用している。
【００２３】
支持体３としては、可撓性部材からなるものを採用できる。本実施例においては塩化ビニル製の管体を円筒枠状に組んだものを採用している。
【００２４】
具体的には支持体３は、図２に図示したように、トンネルの断面形状に沿って環状に湾曲せしめられる縦部材３ａ（複数の短尺管で構成される）と一対の縦部材３ａを連結する横部材３ｂとを、Ｔ字状のプラスチックの継手（パイプジョイント）を用いて夫々連結することで円筒枠状としている。即ち、支持体３は、縦部材３ａと横部材３ｂとからなる梯子状の部材であり、これをトンネルの断面形状に沿って配設する。
【００２５】
縦部材３ａの両端部は、図３に図示したように、左右両端に縦部材３ａの端部が夫々挿通係止可能な係止孔を有する筒状部材からなる調整部５を介して連結されており、調整部５内への縦部材３ａの端部の挿通量を調整することで、支持体３の径を拡縮調整できるように構成している。
【００２６】
シート材２はこの円筒枠状の支持体３の内側に設けられる。従って、シート材２は少なくとも支持体３を構成する管体の径の分だけ覆工コンクリート１の表面から離間した状態（これを本実施例においては近接状態という。）で設けられることになる。このシート材２は、支持体３の縦部材３ａ若しくは横部材３ｂの外周に嵌合するＣ字状の固定部材などにより、固定部材と縦部材３ａ若しくは横部材３ｂとに挟持固定される。また、シート材２は支持体３の内面だけでなく、後述する連結体６が設けられる部分（支持体３の間）にも例えば前後の支持体３に架設するようにして設けられる。
【００２７】
また、支持体３には、覆工コンクリート１の表面に当接する回動体４が所定間隔で複数放射状に設けられている。具体的には、支持体３にして、縦部材３ａと横部材３ｂとで囲まれる空間部には所定間隔をおいて回動体４が設けられる回動体配設部９が複数設けられている。回動体配設部９は板状で回動体４が突没自在に設けられる開口部10が設けられている。尚、回動体４の回転方向はトンネル軸方向と平行となるように設けられる。本実施例においては、断面視において６０°間隔で回動体配設部９が配設され、各回動体配設部９にトンネル軸方向に２つの回動体４が並設されている。
【００２８】
回動体４は、支持体３に対して覆工コンクリート１の表面側に突出して該表面に当接する突状態と、支持体３に対してトンネル内方側に没入して覆工コンクリート１の表面に当接しない没状態とに切り替え自在に支持体３に設けられている。具体的には、図４，５に図示したように、シリンダ11を用いて突没するように構成されている。本実施例においては、シリンダ11は基端部が回動体配設部９に固定された第一固定体12に軸着され、先端部（ピストンロッド先端）がＬ字状のリンク部材13の短尺部の突出先端側に軸着され、回動体４がリンク部材13の長尺部の突出先端側に軸着され、リンク部材13の屈曲部が回動体配設部９に固定された第二固定体14に軸着される構成である。これにより、シリンダ11を制御してピストンロッドを突出させることで突状態、ピストンロッドを没入させることで没状態に夫々切り替えることが可能となる。
【００２９】
従って、支持体３等を覆工型枠と共に移動する場合には、回動体４を突状態として覆工コンクリート１の表面に当接するようにし（図３）、養生を行う際には回動体４を没状態として調整部５により拡径して支持体３を覆工コンクリート１の表面に密着当接せしめてできるだけシート材２を覆工コンクリート１の表面に近づけることができる（図６）。
【００３０】
また、支持体３同士は該支持体３に夫々軸着される連結体６により連結される。具体的には、図７に図示したように、ピン体15により棒状の連結体６を各支持体３の縦部材３ａに設けた連結部16において軸着する。本実施例においては、ピン体15をコ字状の連結部16の上側挿通孔17及び下側挿通孔18と連結体６の端部の挿通孔19に挿通せしめて該ピン体15を連結部16に固定する。これにより、支持体３を移動させる際、カーブがあっても連結体６は連結部16に対して自在に水平回動可能となり、先行の支持体３がカーブを曲がる際に後続の支持体３もある程度追従して曲がることができ、よりスムーズな移動が可能となる。尚、本実施例においては、連結体６（連結部16）は支持体３の上端位置（１２時位置）及び下端位置（６時位置）を夫々連結するように２つ設けている。
【００３１】
尚、本実施例においては支持体３同士を連結体６で連結する構成としているが、支持体３を直接連結する構成としても良い。
【００３２】
また、連続する支持体３の前端面及び後端面には、図８に図示したような覆工コンクリート１の表面とシート材２との間の空間と外部とを仕切る環状の仕切り体７（例えば発泡ウレタン製）を設ける構成としても良い（別例１）。この場合、覆工コンクリート１の表面とシート材２との間の空間の湿度を一層保持し易くなり、それだけ良好に養生を行えることになる。
【００３３】
また、図９に図示したように、覆工コンクリート１の表面とシート材２との間の空間に水分を供給する水分供給装置８を設ける構成としても良い（別例２）。具体的には、貯水槽20とポンプ21と散水管22とからなる構成とし、散水管22を支持体３の上端位置に架設する構成として、散水管22から霧状若しくはシャワー状に散水して覆工コンクリート１の表面とシート材２との間の空間に水分を供給するようにしても良い。また、湿度センサ等で監視しながら設定湿度以下になった場合には自動で水分を供給する制御装置等を設けても良い。この場合、覆工コンクリート１の表面とシート材２との間の空間の湿度を一層最適な状態に保持できることになり、それだけ良好に養生を行えることになる。
【００３４】
また、トンネル底面側の覆工コンクリート１をできるだけ作業者が踏まないで済むように、図１０に図示したように、支持体３の下端部分に板材23を設け、各支持体３の下端部分の板材23を、両端部が夫々各板材23に軸着される踏み板24で連結するように構成しても良い（別例３）。この場合、作業者が板材23及び踏み板24上を歩くことで底面側の覆工コンクリート１が踏まれることを防止できることになる。
【００３５】
尚、別例１〜３は、全てを本実施例に適用しても良いし、いずれか１つ若しくは２つを本実施例に適用しても良い。
【００３６】
本実施例は上述のように構成したから、支持体３に支持されて円筒状のトンネルの内周面に打設された覆工コンクリート１の表面の全周にわたって近接せしめられるシート材２により、覆工コンクリート１の表面全周の養生を良好に行うことができる。
【００３７】
また、放射状に設けられる複数の回動体４により、支持材３にシート材２を設けた状態でトンネル軸方向に簡単に移動させることができ、トンネル内を移動させる際、支持材３及びシート材２の分解・運搬作業が不要となり、それだけ養生作業を効率良く行うことができる。
【００３８】
尚、本実施例はトンネルの内径が１３５０ｍｍ〜５０００ｍｍ程度であれば十分に適用可能であることを確認している。
【００３９】
よって、本実施例は、円筒状のトンネルの内壁面に打設された覆工コンクリートの養生を効果的に行うことができ、簡易な構成で且つ支持体やシート材を分解することなく簡単に移動させることもできる等、極めて実用性に秀れたものとなる。
【符号の説明】
【００４０】
１  覆工コンクリート
２  シート材
３  支持体
４  回動体
５  調整部
６  連結体
７  仕切り体
８  水分供給装置
【図１】
2012041733.tif 000003
【図２】
2012041733.tif 000004
【図３】
2012041733.tif 000005
【図４】
2012041733.tif 000006
【図５】
2012041733.tif 000007
【図６】
2012041733.tif 000008
【図７】
2012041733.tif 000009
【図８】
2012041733.tif 000010
【図９】
2012041733.tif 000011
【図１０】
2012041733.tif 000012